(57)【要約】【課題】送風機で発生する騒音の外部への漏れを抑制することができる吸込パネル形状を備えた空気調和機を提供することを目的とする。【解決手段】この発明に係る空気調和室外機は、略直方六面体の本体と、この本体側面の前後左右の四面に設けられた空気を吸い込む空気吸い込み口と、この空気吸い込み口に対向するように配置された熱交換器と、本体の上部に設置された送風機とを有する空気調和機の室外機において、空気吸い込み口の少なくとも１つに、空気を吸い込む複数の開口部と、送風機からの音を反射する音反射部とを設けた吸込みパネルを備えたことを特徴とする。【選択図】        図３
2005221174.tif 000002
【特許請求の範囲】
【請求項１】
略直方六面体の本体と、この本体側面の前後左右の四面に設けられた空気を吸い込む空気吸い込み口と、この空気吸い込み口に対向するように配置された熱交換器と、前記本体の上部に設置された送風機とを有する空気調和機の室外機において、
前記空気吸い込み口の少なくとも１つに、空気を吸い込む複数の開口部と、前記送風機からの音を反射する音反射部とを設けた吸込みパネルを備えたことを特徴とする空気調和機の室外機。
【請求項２】
略直方六面体の本体と、この本体側面の前後左右の四面に設けられた空気を吸い込む空気吸い込み口と、この空気吸い込み口に対向するように配置された熱交換器と、前記本体の上部に設置された送風機とを有する空気調和機の室外機において、
前記空気吸い込み口の少なくとも１つに、複数個の開口部を有し、前記送風機に近い上部の前記開口部に、前記送風機からの音を反射するベーン形状を設けた吸込みパネルを備えたことを特徴とする空気調和機の室外機。
【請求項３】
前記ベーン形状は、前記本体の内側に傾斜した構成にしたことを特徴とする請求項２記載の空気調和機の室外機。
【請求項４】
前記ベーン形状は、前記本体の側面に直角の水平ベーン形状にしたことを特徴とする請求項２記載の空気調和機の室外機。
【請求項５】
略直方六面体の本体と、この本体側面の前後左右の四面に設けられた空気を吸い込む空気吸い込み口と、この空気吸い込み口に対向するように配置された熱交換器と、前記本体の上部に設置された送風機とを有する空気調和機の室外機において、
前記空気吸い込み口の少なくとも１つに、複数個の開口部を有し、前記送風機に近い上部の前記開口部の面積を下部の前記開口部の面積より小さくし、前記送風機からの音を反射する吸込みパネルを備えたことを特徴とする空気調和機の室外機。
【請求項６】
前記吸込みパネルの裏面に、吸音材を設けたことを特徴とする請求項１〜５のいずれかに記載の空気調和機の室外機。
【請求項７】
略直方六面体の本体と、この本体側面の前後左右の四面に設けられた空気を吸い込む空気吸い込み口と、この空気吸い込み口に対向するように配置された熱交換器と、前記本体の上部に設置された送風機とを有する空気調和機の室外機において、
前記熱交換器の内側に、前記送風機からの音を、前記空気吸い込み口から上方に向かうように反射する反射板を備えたことを特徴とする空気調和機の室外機。
【発明の詳細な説明】
【技術分野】
【０００１】
この発明は、空気調和機の室外機に関するものであり、特に送風機の音漏れを抑制し、騒音を低減した空気調和機の室外機に関するものである。
【背景技術】
【０００２】
従来の空気調和機の室外機は、筐体が６面体の略直方体で構成され、側面の対向する２面にワイヤーガードからなる空気吸い込み口を設け、この空気吸い込み口から空気を吸い込み、熱交換器を通って送風機室に入り、上部の送風機に引かれて天面から外部に吹き出される。
【０００３】
従って、送風機から発生する騒音が、直接熱交換器、空気吸い込み口から外部に漏れる構造であった。
【特許文献１】特開２００２−３５７３３８号公報
【発明の開示】
【発明が解決しようとする課題】
【０００４】
従来の空気調和室外機は、空気吸い込み口がワイヤーガードにて構成され、送風機から発生する騒音が直接熱交換器、空気吸い込み口を通して漏れる構造であった。低騒音化を図るためには、送風機のファン径を大きくするなどの対応が必要となるが、室外機寸法が大きくなるという問題点があった。
【０００５】
この発明は、上記のような問題点を解決するためになされたもので、送風機で発生する騒音の外部への漏れを抑制することができる吸込パネル形状を備えた空気調和機を提供することを目的とする。
【課題を解決するための手段】
【０００６】
この発明に係る空気調和室外機は、略直方六面体の本体と、この本体側面の前後左右の四面に設けられた空気を吸い込む空気吸い込み口と、この空気吸い込み口に対向するように配置された熱交換器と、本体の上部に設置された送風機とを有する空気調和機の室外機において、空気吸い込み口の少なくとも１つに、空気を吸い込む複数の開口部と、送風機からの音を反射する音反射部とを設けた吸込みパネルを備えたことを特徴とする。
【発明の効果】
【０００７】
この発明に係る空気調和室外機は、上記構成により、送風機からの騒音漏れを抑制するという効果を有する。
【発明を実施するための最良の形態】
【０００８】
実施の形態１．
図１〜３は実施の形態１を示す図で、図１は空気調和機の室外機の斜視図、図２は空気調和機の室外機の正面図、図３は図２のＺ−Ｚ断面図である。
図１において、室外機は圧縮機、冷媒回路、及び電気部品を収納する機械室５を下部に設け、その上部に熱交換器２や送風機３が配置される送風室６を備える。熱交換器２は平面形状がＬ字状のものを２個組み合わせたものであり、全体で四角筒形状をなしている。
【０００９】
室外機の側面は鋼板パネル７にて囲まれており、各部品を固定し剛性を確保している。
【００１０】
また、熱交換器２周辺における鋼板パネル７の４つの側面は空気吸い込み口１となるが、この空気吸い込み口１に任意の個数の吸込みパネル８が設けられる。吸込みパネル８には、複数個の開口部９が設けられる。
【００１１】
吸込みパネル８を設けない空気吸い込み口１は、例えばワイヤーガード等で構成される。
【００１２】
次に動作について説明する。
このように構成された空気調和室外機において、送風機３を駆動させると送風室６は負圧となり、空気吸い込み口１から吸込まれた空気は熱交換器２を通過して熱交換され、温度変化を伴った空気となって送風機３を通過して室外機上方へ送風される。
【００１３】
図２に示すように、吸込みパネル８に設けられる複数の開口部９の中、送風機３に近い領域の開口部９の形状を、内側に傾斜したベーン形状１０としている。
【００１４】
これにより、図３に示すように、送風機からの音１１が熱交換器２を通過し、ベーン形状１０にて反射し、外部に漏れないようにすることができる。
【００１５】
図２、３では、送風機３に近い領域の開口部９の形状を、内側に傾斜したベーン形状１０とした開口部９を有する吸込みパネル８を、熱交換器２周辺における鋼板パネル７の対向する２つの空気吸い込み口１に設けたものを示したが、吸込みパネル８の個数は任意でよい。吸込みパネル８を設けた方向の騒音が低下する。吸込みパネル８を設けない空気吸い込み口１は、前述のようにワイヤーガード等で構成する。
【００１６】
以上のように、送風機３から発生した騒音を、吸込みパネル８のベーン形状１０で反射させることにより熱交換器２を通過して外部に漏れる割合を抑制でき、かつ風量を確保できる開口部９形状にしているので、送風機３から発生する騒音の漏れを低減させることが可能となる。
【００１７】
実施の形態２．
図４〜６は実施の形態２を示す図で、図４は空気調和機の室外機の斜視図、図５は空気調和機の室外機の正面図、図６は図５のＹ−Ｙ断面図である。
上記実施の形態１では、送風機３に近い領域の開口部９の形状をベーン形状１０としたが、開口部面積を変化させた場合にも同等な効果を確保することができる。
【００１８】
図４〜６に示すように、吸込みパネル８に設けられている開口部９は、送風機３に近い領域の開口面積を送風機３に遠い領域の開口面積よりも小さな形状としている。その他の構成は、実施の形態１と同様であり、説明は省略する。
【００１９】
図６に示すように、送風機からの音１１は、熱交換器２を通過し、送風機３に近い開口部面積が小さい領域の吸込みパネル１２で反射させることが可能となる。
【００２０】
図５、６では、送風機３に近い領域の開口部９の開口面積を送風機３に遠い領域の開口部９の開口面積よりも小さな形状とした吸込みパネル８を、熱交換器２周辺における鋼板パネル７の対向する２つの空気吸い込み口１に設けたものを示したが、実施の形態１と同様、吸込みパネル８の個数は任意でよい。吸込みパネル８を設けた方向の騒音が低下する。吸込みパネル８を設けない空気吸い込み口１は、前述のようにワイヤーガード等で構成する。
【００２１】
以上のように、送風機３から発生した騒音が、送風機３に近い開口部面積が小さい領域の吸込みパネル１２で反射させて、熱交換器２を通過して漏れる割合を抑制でき、かつ風量を確保できる開口部９形状にしているので、送風機３から発生する騒音の漏れを低減させることが実施の形態１同様に可能となる。
【００２２】
実施の形態３．
図７〜９は実施の形態３を示す図で、図７は空気調和機の室外機の斜視図、図８は空気調和機の室外機の正面図、図９は図８のＸ−Ｘ断面図である。
上記実施の形態１では、吸込みパネル８に設けられる複数の開口部９の中、送風機３に近い領域の開口部９の形状を、内側に傾斜したベーン形状１０としたものを示したが、ベーン形状を内側に直角にした水平ベーン形状としてもよい。
【００２３】
図に示すように、送風機３に近い領域の開口部９の形状を、内側に直角にした水平ベーン形状１５としたものである。
【００２４】
これにより、図９に示すように、送風機からの音１１が熱交換器２を通過し、水平ベーン形状１５にて反射し、外部に漏れないようにすることができる。
【００２５】
上記実施の形態１と比較した場合、水平ベーン形状１５の先端と熱交換器２との干渉が生じる恐れがある反面、開口部の面積は、実施の形態１のものより大きくなり、開口部面積を確保できる利点がある。
【００２６】
図８、９では、送風機３に近い領域の開口部９の形状を、内側に直角にした水平ベーン形状１５とした開口部９を有する吸込みパネル８を、熱交換器２周辺における鋼板パネル７の対向する２つの空気吸い込み口１に設けたものを示したが、上記実施の形態と同様、吸込みパネル８の個数は任意でよい。吸込みパネル８を設けた方向の騒音が低下する。吸込みパネル８を設けない空気吸い込み口１は、前述のようにワイヤーガード等で構成する。
【００２７】
以上のように、送風機３から発生した騒音を、吸込みパネル８の水平ベーン形状１５で反射させることにより熱交換器２を通過して外部に漏れる割合を抑制でき、かつ風量を十分に確保できる開口部９形状にしているので、送風機３から発生する騒音の漏れを低減させることが可能となる。
【００２８】
実施の形態４．
図１０は実施の形態４を示す図で、空気調和機の室外機の断面図である。
本実施の形態は、上記実施の形態１の吸込みパネル８の裏面に吸音材を設けた点に特徴がある。
【００２９】
図１０に示すように、吸込みパネル８に設けられる複数の開口部９の中、送風機３に近い領域の開口部９の形状を、内側に傾斜したベーン形状１０とすると共に、吸込みパネル８の裏面に吸音材２０を設ける。
【００３０】
これにより、図１０に示すように、送風機からの音１１が熱交換器２を通過し、ベーン形状１０にて反射すると共に、吸音材２０で吸音されるため、外部に漏れないようにすることができる。
【００３１】
吸込みパネル８の個数は任意でよい。吸込みパネル８を設けた方向の騒音が低下する。吸込みパネル８を設けない空気吸い込み口１は、前述のようにワイヤーガード等で構成する。
【００３２】
以上のように、送風機３から発生した騒音を、吸込みパネル８のベーン形状１０で反射させると共に、吸音材２０で吸収することにより熱交換器２を通過して外部に漏れる割合を抑制でき、かつ風量を確保できる開口部９形状にしているので、送風機３から発生する騒音の漏れを低減させることが可能となる。
【００３３】
実施の形態５．
図１１は実施の形態５を示す図で、空気調和機の室外機の断面図である。
本実施の形態は、上記実施の形態２の吸込みパネル８の裏面に吸音材を設けた点に特徴がある。
【００３４】
図１１に示すように、吸込みパネル８に設けられている開口部９は、送風機３に近い領域の開口面積を送風機３に遠い領域の開口面積よりも小さな形状とすると共に、吸込みパネル８の裏面に吸音材２０を設ける。
【００３５】
これにより、図１１に示すように、送風機からの音１１は、熱交換器２を通過し、送風機３に近い開口部面積が小さい領域の吸込みパネル１２で反射すると共に、吸音材２０で吸音されるため、外部に漏れないようにすることができる。
【００３６】
吸込みパネル８の個数は任意でよい。吸込みパネル８を設けた方向の騒音が低下する。吸込みパネル８を設けない空気吸い込み口１は、前述のようにワイヤーガード等で構成する。
【００３７】
以上のように、送風機３から発生した騒音を、送風機からの音１１は、熱交換器２を通過し、送風機３に近い開口部面積が小さい領域の吸込みパネル１２で反射すると共に、吸音材２０で吸収することにより熱交換器２を通過して外部に漏れる割合を抑制でき、かつ風量を確保できる開口部９形状にしているので、送風機３から発生する騒音の漏れを低減させることが可能となる。
【００３８】
実施の形態６．
図１２は実施の形態６を示す図で、空気調和機の室外機の断面図である。
本実施の形態は、上記実施の形態３の吸込みパネル８の裏面に吸音材を設けた点に特徴がある。
【００３９】
図１２に示すように、吸込みパネル８に設けられる複数の開口部９の中、送風機３に近い領域の開口部９の形状を、内側に直角にした水平ベーン形状１５とすると共に、吸込みパネル８の裏面に吸音材２０を設ける。
【００４０】
これにより、図１２に示すように、送風機からの音１１が熱交換器２を通過し、水平ベーン形状１５にて反射すると共に、吸音材２０で吸音されるため、外部に漏れないようにすることができる。
【００４１】
吸込みパネル８の個数は任意でよい。吸込みパネル８を設けた方向の騒音が低下する。吸込みパネル８を設けない空気吸い込み口１は、前述のようにワイヤーガード等で構成する。
【００４２】
以上のように、送風機３から発生した騒音を、吸込みパネル８の水平ベーン形状１５で反射させると共に、吸音材２０で吸収することにより熱交換器２を通過して外部に漏れる割合を抑制でき、かつ風量を確保できる開口部９形状にしているので、送風機３から発生する騒音の漏れを低減させることが可能となる。
【００４３】
実施の形態７．
図１３は実施の形態７を示す図で、空気調和機の室外機の断面図である。
本実施の形態は、熱交換器２内側に送風機からの音１１を室外機から上方向に反射させて、地上における騒音を低減させる点に特徴がある。
【００４４】
図１３において、熱交換器２内側に送風機からの音１１を室外機の外の上方に反射させる反射板３０を備える。この場合、空気吸い込み口１は、実施の形態１乃至５の吸込みパネル８でも、ワイヤーガード等でもよい。
【００４５】
また、反射板３０は、４面ある熱交換器２の少なくとも１面にあればよい。反射板３０を設けた方向の騒音が低減する。
【図面の簡単な説明】
【００４６】
【図１】実施の形態１を示す図で、空気調和機の室外機の斜視図である。
【図２】実施の形態１を示す図で、空気調和機の室外機の正面図である。
【図３】実施の形態１を示す図で、図２のＺ−Ｚ断面図である。
【図４】実施の形態２を示す図で、空気調和機の室外機の斜視図である。
【図５】実施の形態２を示す図で、空気調和機の室外機の正面図である。
【図６】実施の形態２を示す図で、図５のＹ−Ｙ断面図である。
【図７】実施の形態３を示す図で、空気調和機の室外機の斜視図である。
【図８】実施の形態３を示す図で、空気調和機の室外機の正面図である。
【図９】実施の形態３を示す図で、図８のＸ−Ｘ断面図である。
【図１０】実施の形態４を示す図で、空気調和機の室外機の断面図である。
【図１１】実施の形態５を示す図で、空気調和機の室外機の断面図である。
【図１２】実施の形態６を示す図で、空気調和機の室外機の断面図である。
【図１３】実施の形態７を示す図で、空気調和機の室外機の断面図である。
【符号の説明】
【００４７】
１  空気吸い込み口、２  熱交換器、３  送風機、５  機械室、６  送風室、７  鋼板パネル、８  吸込みパネル、９  開口部、１０  ベーン形状、１１  送風機からの音、１２  開口部面積が小さい領域の吸込みパネル、１５  水平ベーン形状、２０  吸音材、３０  反射板。
【図１】
2005221174.tif 000003
【図２】
2005221174.tif 000004
【図３】
2005221174.tif 000005
【図４】
2005221174.tif 000006
【図５】
2005221174.tif 000007
【図６】
2005221174.tif 000008
【図７】
2005221174.tif 000009
【図８】
2005221174.tif 000010
【図９】
2005221174.tif 000011
【図１０】
2005221174.tif 000012
【図１１】
2005221174.tif 000013
【図１２】
2005221174.tif 000014
【図１３】
2005221174.tif 000015